(57)【特許請求の範囲】
【請求項１】
長尺状部材を収納するケースと、
該ケースに設けられた開口と、
前記長尺状部材を巻回し、該長尺状部材を前記開口を介して繰り出し及び引き込み可能に保持する回転自在な保持手段と、
前記開口から前記長尺状部材の繰り出し方向近傍に設けられた検知部と、
前記長尺状部材と係合且つ、前記検知部に係合可能な検知端と前記保持手段に係合可能な阻止端を有し、前記長尺状部材の繰り出し先端が前記検知部の位置よりも繰り出されているときは、前記長尺状部材の介在により前記検知端が前記検知部に非係合となると同時に前記阻止端が前記保持手段と非係合となって前記長尺状部材の繰り出し及び引き込みのための前記保持手段の回転動作を許容し、前記長尺状部材の繰り出し先端が前記検知部の位置に引き戻されたときに、前記長尺状部材の介在が解かれて前記検知端が前記検知部に係合すると同時に前記阻止端が前記保持手段と係合して前記長尺状部材の引き込みのための前記保持手段の回転動作を阻止する阻止機構と、
を備えたことを特徴とする長尺状部材収納ケース。
【発明の詳細な説明】
【０００１】
【産業上の利用分野】
本発明は、長尺状部材をロール状に巻いて収納した容器の開口から長尺状部材を引出して用いる長尺状部材収納ケースに係わり、更に詳しくは長尺状部材の先端の引き出し又は引き込みを自在にして所定以上の巻き込みを防止する長尺状部材収納ケースに関する。
【０００２】
【従来の技術】
従来より、長尺状部材をロール状に巻いて収納して用いるものがある。このようなものとしては、近年では、ロール状に巻いた受像紙とインクリボンを１組にして内蔵した印字カセットが知られている。
【０００３】
図９（ａ）  は、そのような印字カセットの使用中の状態を示す断面図であり、同図（ｂ）  は、その印字カセットに上蓋を固着した外観図である。同図（ａ）  においてプラテンローラ１と印字ヘッド２は、装置本体（プリンタ）側に設けられ、図の紙面垂直方向に立設されている。この印字ヘッド２はプラテンローラ１に対し図の両方向矢印Ａで示す圧接及び離隔する方向に回動自在に支持される。このプラテンローラ１と印字ヘッド２とが圧接する対向部によって印字部が形成される。この印字部には少なくとも被記録紙４が通紙される。上記の印字ヘッド２はサーマルヘッドであり多数の印字素子（発熱素子）が支持軸と平行する方向に並んでおり、所定の印字信号制御により選択的に発熱されて被記録紙４に印字を行う。被記録紙４は、印字時にはプラテンローラ１の回転によって搬送される。プラテンローラ１は印字のときは図の矢印Ｂで示す反時計回り方向に回転（正回転）する。
【０００４】
上記の被記録紙４が感熱紙であれば印字ヘッド２の発熱制御で発色して印字される。通常、サーマルプリンタ（熱転写記録装置）では印字にインクリボンが汎用される。そのため一般にはインクリボンを収納した印字カセットを用いる。又、近年、長尺の被記録紙（受像紙）をインクリボンと一体に収納した印字カセットもある。上述の図９（ａ）  の印字カセット３は、そのような印字カセットを示している。同図（ａ）  に示す印字カセット３においては、用紙テープ（受像紙）４がロール４−１状に形成されて用紙リール４−２に保持され、更にこの用紙リール４−２に係合する紙送り軸３−１に保持されて印字部に供給される。インクリボン５も同様にロール５−１状に形成されてリボン供給リール５−２に保持され、更にこのリボン供給リール５−２に係合するリボン送軸３−２に保持されて印字部に供給される。リボン巻取リール５−３は、これに係合するリボン巻取軸３−３に駆動されて使用済みのインクリボン５を巻き取るように構成されている。
【０００５】
このような印字カセット３では、印字カセット３に内蔵されるインクリボン５と用紙テープ４を用いて印字する関係から、装置本体の印字部は印字カセットの縁部に近接して形成される。このため印字部を構成するプラテンローラ１及び印字ヘッド２の通入及び逃げ部を印字カセット３側に形成する。このため、印字カセット３には、図９（ａ）  に示すように印字部に対応する空洞部６が設けられている。この空洞部６に位置する印字部に用紙テープ４及びインクリボン５を供給するために、この空洞部６の上側部に印字部材供給口７が設けられている。
【０００６】
上記の印字カセット３がカラー印刷用である場合は、これに収納されるインクリボン５は、通常イエロー、マゼンタ及びシアンの３色又はこれらに文字専用の黒を更に加えた４色を１組として、各色をリボンの長手方向に面順次に並べて繰り返し塗布して構成される。そして印字（印刷）を行う場合は、まず、１色目のイエローを印字するために、用紙テープ４とインクリボン５が同時に送られる。そして、イエローの印字終了後に、２色目のマゼンタが印字開始位置に来るまでインクリボン５は送り方向に巻き取られる。一方、用紙テープは用紙リール４−２の図の矢印Ｃで示す反時計回り方向への逆転により巻き戻され、イエローのときと同一の印字開始位置に戻る。それから、マゼンタの印字が始まり、以後３色目のシアンを印字するときには、用紙テープ４は再び印字開始位置まで巻き戻される。
【０００７】
【発明が解決しようとする課題】
ところで、用紙テープ４を巻き戻すときの位置決めは、用紙テープ４の裏面に予め印刷等で付与してある位置マークを、不図示の光学センサ等で検知することにより行っている。しかしながら、上記の光学センサが検知ミスを起こしたり故障すると、用紙テープ４の巻き戻しが停止せず、用紙テープ４の先端が印字カセット３の印字部材供給口７よりも内部に引き込まれてしまうということがしばしば発生する。又、印字カセット３を装置本体から外部に取り出した状態で、用紙テープ４の用紙リール４−２を指先などで誤って回転させ、上記同様に用紙テープ４の先端を印字部材供給口７よりも内部に引き込んでしまうことがしばしば発生した。このように用紙テープ４の先端が印字部材供給口７よりも内部に引き込まれてしまうと、これを印字部材供給口７から外部に引出すことは、印字カセット３を分解しない限りは殆ど不可能である。しかし、印字カセット３は、不用意に上蓋８を開けて分解などすると、特にインクリボン５がミクロン単位の厚さであるために僅かの衝撃で破損したり皺などを生じやすく使用に堪えなくなる。したがって、印字カセット３を分解して内部に引き込まれている用紙テープ４を外部に引き出して原状に復元する作業は至難の技であり極めて手数がかかって面倒であるという問題があった。
【０００８】
このような事故に備えて、用紙リール４−２にワンウェイ機構を取り付け用紙テープ４を供給方向へのみ回転させるように出来れば問題はないが、カラー印刷の場合は、上述したように用紙テープ４を印字部に往復させる必要があるから、そのようなワンウェイ機構を採用するわけにもいかず、何等かの解決策が待ち望まれていた。
【０００９】
本発明の課題は、長尺状部材をロール状に巻いて収納した容器の開口（部材供給口）から長尺状部材を引き出し又は引き込んで使用する際、所定以上の巻き込みを防止する長尺状部材収納ケースを提供することである。
【００１０】
【課題を解決するための手段及び作用】
以下に、本発明に係わる長尺状部材収納ケースの構成を述べる。
本発明の長尺状部材収納ケースは、長尺状部材を収納するケースと、該ケースに設けられた開口と、上記長尺状部材を巻回し、該長尺状部材を上記開口を介して繰り出し及び引き込み可能に保持する回転自在な保持手段と、上記開口から上記長尺状部材の繰り出し方向近傍に設けられた検知部と、上記長尺状部材と係合且つ、上記検知部に係合可能な検知端と上記保持手段に係合可能な阻止端を有し、上記長尺状部材の繰り出し先端が上記検知部の位置よりも繰り出されているときは、上記長尺状部材の介在により上記検知端が上記検知部に非係合となると同時に上記阻止端が上記保持手段と非係合となって上記長尺状部材の繰り出し及び引き込みのための上記保持手段の回転動作を許容し、上記長尺状部材の繰り出し先端が上記検知部の位置に引き戻されたときに、上記長尺状部材の介在が解かれて上記検知端が上記検知部に係合すると同時に上記阻止端が上記保持手段と係合して上記長尺状部材の引き込みのための上記保持手段の回転動作を阻止する阻止機構とを備えて構成される。
【００１１】
これにより、長尺状部材がケースの開口から所定距離離れた基準位置よりも開口内に巻き込まれることが防止される。
【００１２】
【実施例】
以下、本発明の実施例を図面を参照しながら説明する。
図１は第１の実施例に係わる印字カセットの平断面図である。同図に示す印字カセット１０は、カラー印刷用の熱転写プリンタに使用される印字カセットである。同図に示すように、印字カセット１０は、長尺状部材収納ケースとして、カセットケース１１内に長尺状部材であるテープ状の用紙（受像紙）１２を用紙リール１３にロール状に卷着している。用紙リール１３には同軸に回転する歯車１４が一体に固着している。未使用の印字カセット１０の場合は、図の手前から見ると上記用紙リール１３には歯車１４の歯のみ覗かせて歯車１４が隠れる程度一杯に受像紙１２が卷着されている。印字カセット１０は、それらの部材によってカセットケース１１の略左半分を専有されている。尚、同図に示す受像紙１２のロールの状態は、既に使用が進行している状態を示している。
【００１３】
また、カセットケース１１の右側には、上方に略１／２を占めて断面が上向きのコの字形をなす空洞部１５が形成されている。この空洞部１５の上記上向きコの字の開口部左端には印字部材給送口１６が形成され、同開口部右端にはリボン引き込み口１７が形成されている。上述の受像紙１２は印字部材給送口１６から空洞部１５の開口部に供給される。
【００１４】
この空洞部１５の下方にはインクリボン１９が収納されている。インクリボン１９は、長尺のベースフィルム上に、Ｙ（イエロー）、Ｍ（マゼンタ）及びＣ（シアン）の３色、又は文字等に専用されるＢｋ（ブラック）を加えた４色のインクが、面順次に繰り返し塗布されて形成されている。インクリボン１９は、未使用部分がリボン供給リール２１に卷着され、使用済み部分がリボン巻取リール２２に卷着されて、印字部材給送口１６とリボン引き込み口１７間に、インク面を上向きにして受像紙１２の下方に張設される。
【００１５】
また、上記の印字部材給送口１６の上部から空洞部１５の開口部に張り出してプレート２４が突設されている。このプレート２４の先端部には、受け孔２４−１が穿設されている。この受け孔２４−１と用紙リール１２との間には、受け孔２４−１に受容される検知端２６−１を備えた引き込み防止アーム２６が配設される。
【００１６】
図２は、上記引き込み防止アーム２６の配設状態をカセットケース１１内部から見た拡大斜視図である。同図及び前述の図１を用いて上記引き込み防止アーム２６を以下に説明する。
【００１７】
引き込み防止アーム２６は、カセットケース１１の前部底面に添い付けて配設され、略中央を支点軸２６−２に回動自在に支持され、ねじりバネ２６−３により反時計回り方向に付勢されている。この引き込み防止アーム２６は、前述したように、プレート２４先端の受け孔２４−１に対応する一端に検知端２６−１を備え、他端に爪２６−４を備えている。
【００１８】
受像紙１２は、インクリボン１９よりも幅広く形成されており、表面の滑らかな台紙テープ上に、裏糊付きのラベル用紙を予め所定サイズにハーフカット（金型により台紙テープを残しラベル用紙のみを打ち抜く）したブランク（打ち抜き製品部、つまりラベル）が面順次に配置されている。受像紙１２の幅方向の両端には上記ハーフカットによりラベル部分と分離した、インクリボン１９と重ならないオフセット（ゆとり代）１２−１が形成されている。
【００１９】
上記ねじりバネ２６−３により反時計回り方向に付勢されている引き込み防止アーム２６の検知端２６−１は、上記の付勢力により受像紙１２の一方のゆとり代１２−１に圧接している。ゆとり代１２−１は、上述したように台紙テープとラベル用紙の二重構造であるから、ねじりバネ２６−３に付勢されている検知端２６−１の圧接により変形することなく、その圧接に抗して引き込み防止アーム２６の回動を抑止するに充分な剛性を有している。
【００２０】
このような構成の上記の印字カセット１０が、特には図示しない熱転写プリンタに装着されると、熱転写プリンタの印字ヘッドが印字カセット１０の空洞部１５内に位置し、同じくプラテンローラが空洞部１５の開口部上方に位置して、印字の際には受像紙１２及びインクリボン１９を圧接して挟持する。また、印字カセット１０の用紙リール１３及びリボン巻取りール２２は、それぞれ熱転写プリンタの印字カセット軸・駆動機構に係合して回転駆動される。
【００２１】
上記熱転写プリンタの印字ヘッドには、これと対峙するインクリボン１９の幅方向に対応して配列されている多数の発熱素子を備えている。これらの発熱素子は印字情報に基づいて選択的に発熱され、その熱エネルギーによってインクリボン１９のインクを受像紙１２に転写して記録（印刷、印字）を行う。このときプラテンローラは受像紙１２を印字方向に搬送し、リボン巻取リール２２は使用済みインクリボン１９を順次巻き取っていく。
【００２２】
フルカラーの印刷では、例えば最初にＹ（イエロー）を印字する。イエローの印字が終了すると印字ヘッドとプラテンローラによる受像紙１２及びインクリボン１９の圧接・挟持を解除し、一方では、リボン巻取リール２２の回転により、インクリボン１９の次の色であるＭ（マゼンタ）を印字開始位置まで搬送し、他方では、イエローの印字面に次のマゼンタを塗り重ねるべく用紙リール１３の図の矢印Ｄで示す反時計回り方向への回転により受像紙１２を巻き戻す。
【００２３】
通常、受像紙１２は、１画面分の印字が完了すると、その印字済み部分が所定の長さで自動的に切断されるから、図１に示すように、受像紙１２の新たな印字面は常に始端１２−２を有している。この始端１２−２が、上記３色又は４色の塗り重ねを行うたびに、印字部すなわち空洞部１５の開口部を進退する。通常この進退に伴う位置決めは、光学素子等からなる位置決めセンサが受像紙１２の状態を読み取った信号に基づいて正しく制御されている。
【００２４】
しかし、ときとして、位置決めセンサ等の不具合により、受像紙１２の始端１２−２が所定の位置よりも内側に引き込まれてしまうことがある。勿論このことは、駆動系や制御系に故障が生じたときにも発生し、また、印字カセット３を熱転写プリンタから外部に取り出したときにおいても操作を誤ると起こり得る。
【００２５】
図３は、そのような場合、受像紙が完全に内部に引き込まれてしまわないように受像紙を強制停止させた状態を示している。同図に示すように、受像紙１２の始端１２−２が所定以上に引き込まれてプレート２４先端の受け孔２４−１の位置よりも後退すると、引き込み防止アーム２６の検知端２６−１が、受像紙１２のゆとり代１２−１との当接・係合を解除され、ねじりバネ２６−３の付勢力によって反時計回り方向に回動して、プレート２４の受け孔２４−１内に嵌入する。この嵌入に基づく回動により、引き込み防止アーム２６他端の爪２６−４が歯車１４の歯底に落込んで歯車１４と歯合する。用紙リール１３と共に歯車１４を回転駆動する熱転写プリンタの駆動軸は、駆動伝達系に滑りクラッチを備えており、上記爪２６−４と歯車１４との歯合による高負荷によりスリップ回転を開始し、歯車１４すなわち用紙リール１３は回転を強制停止する。
【００２６】
これにより受像紙１２の始端１２−２は、プレート２４の受け孔２４−１の位置よりも後退した位置で空洞部１５内に先端を突出した形で停止する。したがって、印字カセット１０をプリンタ本体から外部へ取り出し、引き込み防止アーム２６の検知端２６−１の嵌入している頭部を受け孔２４−１の外から内部へ押込んで、爪２６−４と歯車１４との歯合を解除してやれば、上記空洞部１５内に先端を突出している受像紙１２の始端１２−２を指先等でつまんで定位置まで引出すことは容易である。
【００２７】
このように、本実施例によれば、受像紙１２が誤ってカセットケース１１の内部に全て引き込まれてしまうような事故は、未然に解消される。
続いて、図４に、上記引き込み防止アームの他の例を第２の実施例として示す。同図に示すように、この引き込み防止アーム２８は、上述した引き込み防止アーム２６の爪を有する他端から連結梁２８−１を受像紙１２の幅方向に平行に張り出し、その張り出した連結梁２８−１の端部に引き込み防止アーム２６と対称にこれと類似のアーム２８−２を取り付けている。このアーム２８−２には爪は無く、また支点軸も無く、引き込み防止アーム２６の検知端２６−１と同様の検知端２８−３が配設されている。アーム２８−２は引き込み防止アーム２６と一体になって、引き込み防止アーム２６側の支点軸２６−２を中心にして回動する。また、図には示していないが、上記検知端２８−３に対応する受け孔がプレート２４に設けられている。これによって、引き込み防止アーム２８は、受像紙１２の両側から、両ゆとり代１２−１に当接して、より安定した引き込み防止の動作を行う。
【００２８】
ところで、上述の実施例では、いずれも受像紙１２の幅がインクリボン１９の幅よりも広い場合であるが、受像紙１２のゆとり代１２−１の形成を廃止して台紙テープの幅一杯にラベルを配置する受像紙の構成では、受像紙とインクリボンの幅が略同一であり、受像紙には引き込み防止アームの検知端が当接できる部分がない。
【００２９】
図５は、受像紙とインクリボンの幅が同一の場合であっても受像紙の過剰引き込みを防止できる第３の実施例を示している。尚、図５は、空洞部のインクリボンを案内する部分の構成が異なるが、他の部分は図１と同一であるので、変更のある部分及びこの変更に関連して説明を要する部分についてのみ新たな番号又は図１と同一の番号を付与して示している。
【００３０】
図５に示すように、印字カセット３０は、空洞部１５左方の印字部材給送口３２は大きく開口しており、その開口下部からプレート２４の先端下方にやや離れた位置まで、斜め上方へ、案内板３４が空洞部１５内に張り出して形成されている。このようにインクリボン１９を案内する案内板３４がプレート２４から離れているために、その案内板３４に案内されて空洞部１５の上方に形成される装置本体の印字部に給送されるインクリボン１９は、上記プレート２４の下面に当接しながら送出される受像紙１２との間に比較的大きな間隙を形成している。この間隙に引き込み防止アーム２６の検知端２６−１´が位置するように構成される。
【００３１】
図６は、上記引き込み防止アーム２６の検知端２６−１´の配置を印字カセット３０の内部から見た拡大斜視図である。同図に示すように、検知端２６−１´はインクリボン１９に当接する虞がないので受像紙１２の幅方向に受像紙１２の略中心線まで伸ばして形成されている。特には図示しないがこれに対応するプレート２４の受け孔も受像紙１２の幅方向に広く形成されている。このため、検知端２６−１´は受像紙１２と確実に係合する。
【００３２】
図７は、この実施例の受像紙が完全に内部に引き込まれてしまわないように受像紙を強制停止させた状態を示している。この場合も、同図に示すように、受像紙１２の始端１２−２が所定以上に引き込まれてプレート２４先端の受け孔２４−１´の位置よりも後退すると、検知端２６−１´が受像紙１２との係合を解除され、ねじりバネ２６−３の付勢力によってプレート２４の受け孔２４−１´内に嵌入する。この嵌入に基づく回動により、引き込み防止アーム２６他端の爪２６−４が、歯車１４に歯合して、歯車１４すなわち用紙リール１３を強制的に停止させる。これにより受像紙１２の始端１２−２は、プレート２４の受け孔２４−１´の位置よりも後退した位置で空洞部１５内に先端を突出した形で停止する。
【００３３】
この場合も印字カセット３０をプリンタ本体から外部へ取り出し、引き込み防止アーム２６の検知端２６−１´の嵌入している頭部を受け孔２４−１´の外から内部へ押込んで爪２６−４と歯車１４との歯合を解除し、受像紙１２の始端１２−２を指先等でつまんで定位置まで引出して原状に復元する。
【００３４】
ところで、上述した第１〜第３の実施例では、いずれも用紙リール１３を強制的に停止させた後の受像紙１２の原状復元を、印字カセット１０（又は３０）をプリンタ本体から外部に取り出して、爪２６−４と歯車１４の歯合を手作業で解除することによって行っている。これでも、受像紙の始端が内部に引き込まれてしまった場合のことから比較すれば、充分に問題点は解決されているが、やや手数がかかるという不満が残る虞がある。
【００３５】
図８(a)，(b)，(c)に、そのような手数がかかることのない第４の実施例を示す。同図(a)，(b)，(c)は、構成を示すとともに動作状態も示している。同図(a)に示すように、歯車３５（図１又は図７の歯車１４に対応）の歯３５−１は追歯（ラチェット）状に形成されている。また、引き込み防止アーム３６（図１又は図７の引き込み防止アーム２６に対応）は、その検知端３６−１（図１の検知端２６−１又は図７の検知端２６−１´に対応）の受像紙１２との当接部が図１又は図７の場合のようにアーム本体から垂直に突出するのではなく、アーム本体の中心から外方へ傾斜する面を形成して突出している。
【００３６】
図８(a)は、受像紙１２の始端１２−２が所定以上に引き込まれてプレート２４先端の受け孔２４−１の位置よりも後退したために、検知端３６−１が受像紙１２との係合を解除されて、不図示のねじりバネの付勢力によりプレート２４の受け孔２４−１内に嵌入して引き込み防止アーム３６を反時計回り方向に回動させ、これにより引き込み防止アーム３６の鈎爪３６−４が歯車３５の追歯３５−１に歯合して、歯車３５の図の矢印Ｋで示す反時計回り方向の受像紙巻戻し方向への回転を強制的に停止させている。
【００３７】
この実施例では、図８（ｂ）  に示すように、図の矢印Ｌで示す時計回り方向の受像紙送り出し方向へ歯車３５を回転させると、一方では、引き込み防止アーム３６の鈎爪３６−４の外面が、それまで歯合していた追歯３５−１の背を滑動して持上がり、引き込み防止アーム３６を図の矢印Ｍで示す時計回り方向に回動させ、これによって反対側の端部の検知端３６−１を、プレート２４の受け孔２４−１からの脱出を開始させる。
【００３８】
そして、他方では、上記歯車３５の回転により繰り出される受像紙１２の始端１２−２が、上述した検知端３６−１の傾斜面に沿って前進し、同図（ｃ）  に示すように、検知端３６−１の頭部とプレート２４の下面の間に進入して、上記受け孔２４−１から脱出しつつある検知端３６−１を、図の矢印Ｎで示すように更に下方に押し下げ、これにより、引き込み防止アーム３６の鈎爪３６−１と歯車３５の追歯３５−１との係合解除を完成させると共に、受像紙１２と引き込み防止アーム３６との正常な係合関係を復元する。
【００３９】
このように、本実施例では、装置本体から印字カセットを取り出すことなく、装置本体側の例えばテープ送り出しスイッチ等を操作して所定位置へテープを自動的に引き出すことができる。
【００４０】
尚、上述した第１〜第４の実施例では、いずれも長尺状部材収納ケースとして熱転写プリンタの印字カセットを例にとって説明しているが、これに限ることなく、長尺状部材収納ケースは、巻尺、フィルム、粘着テープ、蛍光テープ等を収納し、これらを引き出して使用するケース等にも適用できる。
【００４１】
【発明の効果】
以上説明したように、本発明によれば、駆動係や位置検知センサ等の不具合により又は誤って手動により長尺状部材が収納ケースの内部方向へ引き込まれることがあっても、その長尺状部材の先端が完全に引き込まれる前に長尺状部材を巻き取るリールを強制的に停止させるので、指先等で長尺状部材の先端を引き出すか或はリールを送り出し方向へ回転させて長尺状部材の先端を繰り出すことが容易に可能となり、したがって、長尺状部材が先端まで完全に収納ケース内に引き込まれ長尺状部材の原状復元が不可能になって未使用部分を残したまま長尺状部材収納ケースを廃棄しなければならないような不都合が解消される。
【図面の簡単な説明】
【図１】第１の実施例に係わる印字カセットの平断面図である。
【図２】引き込み防止アームの配設状態をカセットケース内部から見た拡大斜視図である。
【図３】受像紙の始端が所定の位置よりも内側に引き込まれた状態で強制停止している状態を示す図である。
【図４】引き込み防止アームの他の例（第２の実施例）を示す図である。
【図５】受像紙とインクリボンの幅が同一の場合であっても受像紙の過剰引き込みを防止できる第３の実施例を示す図である。
【図６】第３の実施例の引き込み防止アームの検知端の配置を印字カセットの内部から見た拡大斜視図である。
【図７】第３の実施例の受像紙が完全に内部に引き込まれてしまわないように受像紙を強制停止させた状態を示す図である。
【図８】（ａ），（ｂ），（ｃ）  は原状復元に手数がかかることのない第４の実施例の構成及び動作状態図である。
【図９】（ａ）  は従来の印字カセットの使用中の状態を示す断面図、（ｂ）  はその印字カセットに上蓋を固着した外観図である。
【符号の説明】
１      プラテンローラ
２      印字ヘッド
３      印字カセット
３−１    紙送り軸
３−２    リボン送軸
３−３    リボン巻取軸
４      用紙テープ（受像紙）
４−１    用紙テープのロール
４−２    用紙リール
５      インクリボン
５−１    インクリボンのロール
５−２    リボン供給リール
５−３    リボン巻取リール
６      空洞部
７      開口
８      上蓋
１０    印字カセット
１１    カセットケース
１２    用紙（受像紙）
１２−１  ゆとり代
１２−２  始端
１３    用紙リール
１４    歯車
１５    空洞部
１６    印字部材給送口
１７    リボン引き込み口
１９    インクリボン
２１    リボン供給リール
２２    リボン巻取リール
２４    プレート
２４−１  受け孔
２６    引き込み防止アーム
２６−１、２６−１´  検知端
２６−２  支点軸
２６−３  ねじりバネ
２６−４  爪
３０    印字カセット
３２    印字部材給送口
３４    案内板
３５    歯車
３５−１  追歯
３６    引き込み防止アーム
３６−１  検知端
３６−４  鈎爪
【図１】
0003570003.tif 000002
【図２】
0003570003.tif 000003
【図３】
0003570003.tif 000004
【図４】
0003570003.tif 000005
【図５】
0003570003.tif 000006
【図６】
0003570003.tif 000007
【図７】
0003570003.tif 000008
【図８】
0003570003.tif 000009
【図９】
0003570003.tif 000010